(57)【要約】      （修正有）【課題】側面からの水分の浸入を効果的に遮断し、マイクロカプセル表示層への水分の浸入によるマイクロカプセル表示層の特性の劣化を効果的に防止する。【解決手段】基板６上に第１の接着層４を介して配置されたマイクロカプセル表示層３、マイクロカプセル表示層側に透明樹脂膜２上に第２の接着層７を介して被着され、透明樹脂膜の側面から側方に突出して、透明樹脂膜及びマイクロカプセル表示層の側面において基板との間に空隙を形成する透明樹脂膜よりも大きなサイズを有する透明樹脂保護膜８、透明樹脂保護膜上に形成された機能層１１、及び空隙に充填された、幅１〜１．５ｍｍの水蒸気遮断性樹脂層９を具備し、透明樹脂保護膜は、１００μｍを超え、２５０μｍ以下の厚さを有し、かつガスバリア物質を含み、水蒸気遮断性樹脂層は、熱又は紫外線の照射により硬化したアクリル系樹脂、メタクリル系樹脂又はエポキシ樹脂からなる。【選択図】図１
2011039530.tif 000002
【特許請求の範囲】
【請求項１】
基板、この基板上に、第１の接着層を介して配置されたマイクロカプセル表示層、このマイクロカプセル表示層上に被着された、前記マイクロカプセル表示層側に透明電極層を有する透明樹脂膜、この透明樹脂膜上に第２の接着層を介して被着され、前記透明樹脂膜の側面から側方に突出して、前記透明樹脂膜及びマイクロカプセル表示層の側面において前記基板との間に空隙を形成するように前記透明樹脂膜よりも大きなサイズを有する透明樹脂保護膜、この透明樹脂保護膜上に形成された、防眩膜、反射防止膜、及びハードコートからなる群から選ばれた機能層、及び前記空隙に充填された、幅１〜１．５ｍｍの水蒸気遮断性樹脂層を具備し、前記透明樹脂保護膜は、１００μｍを超え、２５０μｍ以下の厚さを有し、かつガスバリア物質を含み、前記水蒸気遮断性樹脂層は、熱又は紫外線の照射により硬化したアクリル系樹脂、メタクリル系樹脂又はエポキシ樹脂からなることを特徴とするマイクロカプセル型電気泳動式表示パネル。
【請求項２】
前記透明樹脂保護膜は、０．１ｇ／ｍ２・日以下の水蒸気透過度を有することを特徴とする請求項１に記載のマイクロカプセル型電気泳動式表示パネル。
【請求項３】
前記透明樹脂保護膜と、前記透明樹脂膜及び水蒸気遮断性樹脂層との間に、ガスバリア層が介在していることを特徴とする請求項１又は２に記載のマイクロカプセル型電気泳動式表示パネル。
【請求項４】
前記ガスバリア層は、二酸化珪素、酸化アルミニウム及び酸化マグネシウムからなる群から選ばれた１種の無機化合物膜、又はフッ素樹脂膜であることを特徴とする請求項３に記載のマイクロカプセル型電気泳動式表示パネル。
【請求項５】
透明電極層を有する透明樹脂膜の透明電極層上にマイクロカプセル表示層を形成し、前面板を得る工程、
前記透明樹脂膜の透明電極層とは反対側の面に第２の接着層を被着する工程、
前記第２の接着層が被着された前面板を所定のサイズに断裁する工程、
前記透明樹脂膜のマイクロカプセル表示層側を第１の接着層を介して基板に被着する工程、
前記透明樹脂膜よりも大きなサイズを有するとともに、１００μｍを超え、２５０μｍ以下の厚さを有し、かつガスバリア物質を含む透明樹脂保護膜を、前記第２の接着層を介して前記透明樹脂膜の側面から側方に突出するように被着して、前記透明樹脂膜及びマイクロカプセル表示層の側面において前記基板との間に空隙を形成する工程、
前記空隙に、アクリル系樹脂、メタクリル系樹脂又はエポキシ樹脂からなる粘度２０００Ｐａ・ｓ以下の水蒸気遮断性樹脂を充填する工程、及び
前記充填された水蒸気遮断性樹脂を加熱又は紫外線の照射により硬化して、幅１〜１．５ｍｍの水蒸気遮断性樹脂層を形成する工程
を具備することを特徴とするマイクロカプセル型電気泳動式表示パネルの製造方法。
【請求項６】
前記透明樹脂保護膜は、０．１ｇ／ｍ２・日以下の水蒸気透過度を有することを特徴とする請求項５に記載のマイクロカプセル型電気泳動式表示パネルの製造方法。
【発明の詳細な説明】
【技術分野】
【０００１】
本発明は、マイクロカプセル表示層に対する高い湿分遮断機能を有する、安定した特性で動作するマイクロカプセル型電気泳動式表示パネル及びその製造方法に関する。
【背景技術】
【０００２】
フラットパネル表示装置として、現在、液晶表示装置（ＬＣＤ）が、厚さが薄く、小型化が可能であることから、様々な用途において広範に使用されている。このようなＬＣＤよりも更に薄型化、低消費電力化を目指す他の表示方式として、電気泳動現象を利用した表示装置が開発されている。
【０００３】
電気泳動現象を利用した表示装置の一つとして、マイクロカプセル型電気泳動方式が実用化されている。この方式の表示装置は、透明溶媒が満たされたマイクロカプセル中に正、負に帯電した白い粒子と黒い粒子を入れ、外部電圧の印加によってそれぞれの粒子を表示面に引き上げて画像を形成するものである。マイクロカプセルのサイズは径数十μｍ〜数百μｍと小さいので、このマイクロカプセルを透明なバインダに分散させると、インクのようにコーティングすることができる。このインクは、外部から電圧を印加することで画像を描くことができるので、電子インクと呼ばれる。
【０００４】
透明電極を形成した透明樹脂膜にこの電子インクをコーティングし、アクティブマトリクス駆動用の電極回路を形成した基板に貼り合わせると、例えば、特許文献１に示すような、アクティブマトリクスディスプレイパネルを得ることができる。通常、透明電極を形成した透明樹脂膜に電子インクをコーティングした部品を「前面板」と呼び、アクティブマトリクス駆動用の電極回路を形成した基板を「背面板」と呼んでいる。
【０００５】
以上のように構成されるマイクロカプセル型電気泳動式表示装置では、パネル側面におけるシールが十分ではなく、電子インクのコーティングにより形成されたマイクロカプセル表示層に、水蒸気等の水分が浸入し、その電気的特性を劣化させるという問題がある。
【０００６】
即ち、パネルの上面は透明樹脂膜により、下面は基板により、それぞれ水分の浸入が遮断されるが、パネル側面のシールは困難であるため、側面から浸入する水分を十分に遮断することが出来なかった。
【先行技術文献】
【特許文献】
【０００７】
【特許文献１】特開２０００−２２１５４６号公報
【発明の概要】
【発明が解決しようとする課題】
【０００８】
本発明は、以上のような事情の下になされ、側面からの水分の浸入を効果的に遮断し、マイクロカプセル表示層への水分の浸入によるマイクロカプセル表示層の特性の劣化を効果的に防止することを可能とするマイクロカプセル型電気泳動式表示パネル及びその製造方法を提供することを目的とする。
【課題を解決するための手段】
【０００９】
上記課題を解決するため、本発明は、基板、この基板上に、第１の接着層を介して配置されたマイクロカプセル表示層、このマイクロカプセル表示層上に被着された、前記マイクロカプセル表示層側に透明電極層を有する透明樹脂膜、この透明樹脂膜上に第２の接着層を介して被着され、前記透明樹脂膜の側面から側方に突出して、前記透明樹脂膜及びマイクロカプセル表示層の側面において前記基板との間に空隙を形成するように前記透明樹脂膜よりも大きなサイズを有する透明樹脂保護膜、この透明樹脂保護膜上に形成された、防眩膜、反射防止膜、及びハードコートからなる群から選ばれた機能層、及び前記空隙に充填された、幅１〜１．５ｍｍの水蒸気遮断性樹脂層を具備し、前記透明樹脂保護膜は、１００μｍを超え、２５０μｍ以下の厚さを有し、かつガスバリア物質を含み、前記水蒸気遮断性樹脂層は、熱又は紫外線の照射により硬化したアクリル系樹脂、メタクリル系樹脂又はエポキシ樹脂からなることを特徴とするマイクロカプセル型電気泳動式表示パネルを提供する。
【００１０】
また、本発明は、透明電極層を有する透明樹脂膜の透明電極層上にマイクロカプセル表示層を形成し、前面板を得る工程、前記透明樹脂膜の透明電極層とは反対側の面に第２の接着層を被着する工程、前記第２の接着層が被着された前面板を所定のサイズに断裁する工程、前記透明樹脂膜のマイクロカプセル表示層側を第１の接着層を介して基板に被着する工程、前記透明樹脂膜よりも大きなサイズを有するとともに、１００μｍを超え、２５０μｍ以下の厚さを有し、かつガスバリア物質を含む透明樹脂保護膜を、前記第２の接着層を介して前記透明樹脂膜の側面から側方に突出するように被着して、前記透明樹脂膜及びマイクロカプセル表示層の側面において前記基板との間に空隙を形成する工程、前記空隙に、アクリル系樹脂、メタクリル系樹脂又はエポキシ樹脂からなる粘度２０００Ｐａ・ｓ以下の水蒸気遮断性樹脂を充填する工程、及び前記充填された水蒸気遮断性樹脂を加熱又は紫外線の照射により硬化して、幅１〜１．５ｍｍの水蒸気遮断性樹脂層を形成する工程を具備することを特徴とするマイクロカプセル型電気泳動式表示パネルの製造方法を提供する。
【００１１】
以上のように構成される本発明のマイクロカプセル型電気泳動式表示パネル及びその製造方法によると、透明樹脂膜及びマイクロカプセル表示層の側面において基板と透明樹脂保護膜との間に形成された空隙に水蒸気遮断性樹脂層が充填されているため、マイクロカプセル表示層への水分の浸入を効果的に遮断し、マイクロカプセル表示層への水分の浸入によるマイクロカプセル表示層の特性の劣化を効果的に防止することが出来る。
【００１２】
また、表面に透明樹脂保護膜を被着しているため、マイクロカプセル表示層に対する保護機能が大幅に高められ、外部からの衝撃によるマイクロカプセル表示層の破損を効果的に防止することが出来る。
【００１３】
本発明のマイクロカプセル型電気泳動式表示パネルにおいて、水蒸気遮断性樹脂層は、熱硬化性又は紫外線硬化性のアクリル系樹脂により構成することが望ましい。アクリル系樹脂は水蒸気遮断性を有するとともに、粘性が低いため、透明樹脂膜及びマイクロカプセル表示層の側面の空隙への充填を容易に行うことが可能である。
【００１４】
また、透明樹脂膜及びマイクロカプセル表示層の側面の空隙に充填された水蒸気遮断性樹脂層の幅は１〜１．５ｍｍである。水蒸気遮断性樹脂層の幅をこの範囲とすることにより、マイクロカプセル表示層への水分の浸入を充分に防止することが出来る。
【００１５】
更に、透明樹脂保護膜は、０．１ｇ／ｍ２・日以下の水蒸気透過度を有するものであることが望ましい。このような水蒸気透過度を有する透明樹脂保護膜により、上方（表示面側）からの水分の浸入を効果的に防止することが出来る。
【００１６】
更にまた、透明樹脂保護膜と、前記透明樹脂膜及び水蒸気遮断性樹脂層との間に、ガスバリア層が介在していることが望ましい。なお、透明樹脂保護膜中にはガスバリア物質が含まれている。このようなガスバリア層又はガスバリア物質により、上方からの水蒸気の透過を効果的に防止することが出来る。
【００１７】
ガスバリア層又はガスバリア物質は、二酸化珪素、酸化アルミニウム及び酸化マグネシウムからなる群から選ばれた１種の無機化合物、又はフッ素樹脂とすることが出来る。
【発明の効果】
【００１８】
本発明によると、透明樹脂膜及びマイクロカプセル表示層の側面において基板と透明樹脂保護膜との間に形成された空隙に水蒸気遮断性樹脂層を充填することにより、マイクロカプセル表示層への水分の浸入を効果的に遮断し、マイクロカプセル表示層への水分の浸入によるマイクロカプセル表示層の特性の劣化を効果的に防止することが可能なマイクロカプセル型電気泳動式表示パネルが提供される。本発明に係るマイクロカプセル型電気泳動式表示パネルは、表面に透明樹脂保護膜を被着しているため、マイクロカプセル表示層に対する保護機能が大幅に高められ、外部からの衝撃によるマイクロカプセル表示層の破損を効果的に防止することが出来るという効果をも奏する。
【図面の簡単な説明】
【００１９】
【図１】本発明の一形態に係るマイクロカプセル型電気泳動式表示パネルの製造工程を示す断面図。
【図２】本発明の一形態に係るマイクロカプセル型電気泳動式表示パネルのマイクロカプセル表示層に含まれるマイクロカプセルを模式的に示す図。
【図３】本発明の一形態に係るマイクロカプセル型電気泳動式表示パネルのマイクロカプセル表示層の表示形態の一例を模式的に表す斜視図。
【図４】本発明の一形態に係るマイクロカプセル型電気泳動式表示パネルのマイクロカプセル表示層の表示形態の一例を模式的に表す側断面図。
【発明を実施するための最良の形態】
【００２０】
以下、本発明を実施するための最良の形態について、図面を参照して具体的に説明する。
【００２１】
図１は、本発明の一形態に係るマイクロカプセル型電気泳動式表示パネルの製造工程を示す断面図である。
【００２２】
図１（ａ）に示すように、まず、表面に透明電極層（ＩＴＯ膜）１が形成されているポリエチレンテレフタレートからなる透明樹脂膜２の透明電極層１の面に、スクリーン印刷により電子インクを印刷し、マイクロカプセル表示層３を形成する。次いで、マイクロカプセル表示層３の面に第１の接着層４を形成して、前面板５を得る。
【００２３】
この場合、電子インクの印刷は透明樹脂膜２の透明電極層１に対して行われるが、透明樹脂膜２は膜厚が薄いため巻取りによる操作が可能であり、電子インクの印刷を、連続して作業性よく行うことが可能である。
【００２４】
透明樹脂膜２としては、ポリエチレンテレフタレート以外に、ポリメタクリル酸メチル、ポリカーボネート、ポリエチレンナフタレート、ポリプロピレン、ナイロン−６、ナイロン−６６、ポリ塩化ビニリデン、ポリエーテルスルフォン等を用いることが出来る。透明樹脂膜２の膜厚は、２５〜２５０μｍ程度であるのが好ましい。透明樹脂膜２の膜厚が厚いと、巻取りが困難となり、電子インクの印刷の作業性に悪影響を与える。一方、透明樹脂膜２の膜厚が薄すぎる場合には、後述する透明樹脂保護膜を設けたとしても、マイクロカプセル表示層３の保護機能が不十分となる。
【００２５】
なお、透明電極層１は、全面を同一の電位とする共通電極とすることが出来る。透明電極層１の膜厚は、十分な導電性を有するためには、好ましくは１０ｎｍ以上、より好ましくは１００ｎｍ程度がよい。
【００２６】
第１の接着層４としては、公知の感圧接着剤や感熱接着剤を用いることが出来る。これらは、粘着面に剥離紙を有する片面粘着テープ又は両面粘着テープの形で用いることが出来る。即ち、第１の接着層４は、片面粘着テープの非粘着面を接着剤によりマイクロカプセル表示層３に貼るか、又は両面粘着テープの一方の剥離テープを剥がしてマイクロカプセル表示層３に貼ることにより形成することが出来る。第１の接着層４の厚さは、１０〜５０μｍ程度が好ましい。
【００２７】
前面板５の表面、即ち、透明樹脂膜２の透明電極層１とは反対側の面には、第２の接着層７が設けられる。第２の接着層７は、自己保持性が高い、高弾性を有するものであるのが好ましい。高弾性を有する第２の接着層７は、単なる接着作用だけではなく、後述する透明樹脂保護膜８が受ける衝撃を和らげるクッションとしての役割をも果たすことが出来る。第２の接着層７の具体的な材質としては、シリコンゴム、クロロプレンゴム、エチレン−プロピレンゴム、フッ素ゴム、アクリルゴム、ブチルゴム等を挙げることが出来、その膜厚は２５μｍ以上であるのが好ましい。第２の接着層７の厚みの上限は、性能面からの制限は特に無いが、生産性の点から２５０μｍ程度である。
【００２８】
このように、前面板５に第２の接着層７を形成した後、前面板５は所定のサイズに断裁される。その結果、前面板５と第２の接着層７の端面を揃えることが出来る。
【００２９】
なお、高弾性を有する第２の接着層７を用いることにより、工程中に第２の接着層７が部分的に脱離して装置やワークを汚染したり、ワーク同士が接着されたりすることがない。また、第２の接着層７形成後の前面板５の断裁により清浄な端面が得られるため、後工程の水蒸気遮断性樹脂の充填に悪影響を及ぼすことはない。
【００３０】
次に、図１（ｂ）に示すように、前面板５を基板６に貼りつける。貼りつけは、例えば剥離紙を剥がして、第１の接着層４の粘着面を基板６に貼り合せ、押圧又は加熱することにより行うことが出来る。基板６は、表面に電極層（図示せず）を備えるガラス基板又は樹脂フィルムであり、表面の電極層が画素電極として画素毎に独立してパターニングされ、図示しない薄膜トランジスタ、信号電極、および走査電極が併設されたものを用いることが出来る。
【００３１】
次に、図１（ｃ）に示すように、以上のようにして得た積層体の透明樹脂膜２上に、第２の接着層７を介して、透明樹脂保護膜８を形成する。
【００３２】
透明樹脂保護膜８としては、ポリエチレンテレフタレート、ポリメタクリル酸メチル、ポリカーボネート、ポリエチレンナフタレート、ポリプロピレン、ナイロン−６、ナイロン−６６、ポリ塩化ビニリデン、ポリエーテルスルフォン等を用いることが出来る。特に、上方（表示面側）からの水分の浸入を効果的に防止するため、０．１ｇ／ｍ２・日以下の水蒸気透過度を有するものであることが望ましい。なお、水蒸気透過度は、前面板５の側を測定器のセンサー側に向けて測定した場合の値である。
【００３３】
透明樹脂保護膜８の膜厚は、１００〜２５０μｍ程度であるのが好ましい。透明樹脂保護膜８の膜厚が薄すぎる場合には、マイクロカプセル表示層３の保護機能が不十分となり、厚すぎると、均一なフィルム作成が困難となり、また視認性も低下してしまう。
【００３４】
透明樹脂保護膜８は、透明樹脂膜２よりも大きなサイズのものを用いる。透明樹脂保護膜８のサイズは、その端部が透明樹脂膜の側面から１〜１．５ｍｍ側方に突出するようなものであることが望ましい。即ち、透明樹脂保護膜８の端部が透明樹脂膜の側面から側方に突出する長さは、後述する水蒸気遮断性樹脂層の幅であって、水分がマイクロカプセル表示層３にまで浸入する距離であるので、それが１〜１．５ｍｍあれば、マイクロカプセル表示層３への水分の浸入を充分に阻止することが可能である。これに対し、突出する長さが１ｍｍ未満では、マイクロカプセル表示層３への水分の浸入を充分に阻止し難くなり、１．５ｍｍを越えると、後述する水蒸気遮断性樹脂層の充填が困難となる。
【００３５】
このように、透明樹脂保護膜８のサイズを透明樹脂膜２よりも大きくし、透明樹脂保護膜８の端部を透明樹脂膜２の側面から側方に突出させることにより、透明樹脂膜２及びマイクロカプセル表示層３の側面において基板６との間に空隙が形成される。この空隙の幅は上述したように、透明樹脂保護膜８の端部が透明樹脂膜の側面から側方に突出する長さであり、空隙の高さは、基板６と透明樹脂保護膜８の距離、即ち、第１の接着層４、マイクロカプセル表示層３、透明電極層１、透明樹脂膜２、及び第２の接着層７の合計の厚さである。
【００３６】
基板６と透明樹脂保護膜８の間に形成された空隙には、水蒸気遮断性樹脂が充填される。使用可能な水蒸気遮断性樹脂としては、水蒸気遮断機能を有するとともに、充填し易いように、粘性が低い樹脂であるのが望ましい。また、充填後に、熱又は紫外線の照射により硬化するものであるのが望ましい。そのような樹脂として、熱又は紫外線硬化性のアクリル系樹脂、メタクリル系樹脂、エポキシ樹脂等を用いることが出来、特にアクリル系樹脂を用いることが好ましい。水蒸気遮断機能としては、０．６ｇ・ｍｍ／ｍ２・日以下の水蒸気透過係数であることが好ましく、粘性は、２０００Ｐａ・ｓ以下であるのが好ましい。
【００３７】
空隙への水蒸気遮断性樹脂の充填は、例えば、一般的なディスペンサーにより行うことが出来る。空隙に充填された水蒸気遮断性樹脂は、加熱又は紫外線の照射により硬化され、水蒸気遮断性樹脂層９が形成される。
【００３８】
なお、上述したように、前面板５に第２の接着層７を形成した後、前面板５を所定のサイズに断裁することにより、前面板５と第２の接着層７の端面が揃っているので、充填される水蒸気遮断性樹脂の幅、即ちシール幅は、全周にわたって均一であり、そのため均一なシールを行うことが可能である。
【００３９】
透明樹脂保護膜８の基板６側の面には、ガスバリア層１０を設けてもよい。ガスバリア層１０としては、二酸化珪素、酸化アルミニウム、酸化マグネシウム等の無機化合物、又はフッ素樹脂を用いることが出来る。ガスバリア層１０の厚さは、例えば無機化合物膜の場合２０〜２００ｎｍ（０．０２〜０．２μｍ）、フッ素樹脂膜の場合０．０５〜０．２ｍｍ（５０〜２００μｍ）とすることが出来る。なお、ガスバリア層１０を設ける代わりに、透明樹脂保護膜８中にガスバリア物質を含有させてもよい。ガスバリア物質としては、上述のガスバリア層１０に用いた物質を用いることが出来る。
【００４０】
このようなガスバリア層１０又は透明樹脂保護膜８中のガスバリア物質により、上方からの水蒸気の透過を効果的に防止することが出来る。
【００４１】
また、透明樹脂保護膜８の表面には、防眩膜、反射防止膜、ハードコート等の特定の機能を有する機能層１１を設けてもよい。防眩膜は、表面に凹凸を有し、凹凸面で外光を散乱させる膜であり、反射防止膜は、積層された複数層の膜の界面で発生する反射光の干渉を利用して反射光を減衰させるものである。また、ハードコートは、高架橋密度の硬質の樹脂皮膜であり、ガラス並みの耐傷付き性を有するものである。これらの機能層１１は、公知の材料を用い、公知の方法で成膜することが出来る。
【００４２】
以上のようにして得られた、図１（ｃ）に示すマイクロカプセル型電気泳動式表示パネルは、透明樹脂膜２及びマイクロカプセル表示層３の側面において基板６と透明樹脂保護膜８との間に形成された空隙に水蒸気遮断性樹脂層９が充填されているため、マイクロカプセル表示層３への水分の浸入を効果的に遮断し、マイクロカプセル表示層３への水分の浸入によるマイクロカプセル表示層３の特性の劣化を効果的に防止することが出来る。
【００４３】
以上説明したマイクロカプセル型電気泳動式表示パネルにおいて、マイクロカプセル表示層３に含まれるマイクロカプセルは、例えば図２に示すように、メタクリル酸樹脂、ユリア樹脂、アラビアゴム等をカプセル殻１１１とし、その内部に酸化チタンからなる白の粒子１１３とカーボンブラックからなる黒の粒子１１４が、シリコーンオイル等の粘性の高い分散媒１１２に分散された状態で封入されたものである。白の粒子１１３である酸化チタンは正電荷を帯びており、一方、黒の粒子１１４であるカーボンブラックは負電荷を帯びている。
【００４４】
このようなマイクロカプセル１１０を含むマイクロカプセル型電気泳動方式を用いた表示体は、次のようにして動作する。
【００４５】
即ち、図３の模式図に示すように、透明樹脂膜２の側の透明電極層１と基板６側の電極層２１に電界を印加し、透明電極層１を負極、電極層２１を正極とした場合、正に帯電した白の粒子１１３が透明電極層１側に引かれ、負に帯電した黒の粒子１１４は電極層２１側に引かれるので、透明電極層１側の上方から観察するとその部分が白く見える。
【００４６】
逆に、透明電極層１が正極で、電極層２１が負極になった場合には、正に帯電した白の粒子１１３が電極層２１側に引かれ、負に帯電した黒の粒子１１４は透明電極層１側に引かれるので、透明電極層１側の上方から観察するとその部分が黒く見えることになる。
【００４７】
マイクロカプセル表示層３は、図４の側断面模式図に示すように、マイクロカプセル１１０を多数含んでおり、透明電極層１を同一電位の共通電極とし、電極層２１の各アドレス電極の電界を制御することで、上述の原理に基づきマイクロカプセル内の粒子を移動させることで、所望の文字や図形を白と黒の画素として表示させることができる。
【００４８】
同様に、電極層２１を共通電極とし（電位をゼロとする）、透明電極１側の各アドレス電極の電界を制御する（正または負の電位を与える）ことで、電極位置のマイクロカプセル内の粒子を移動させて、所望の画像を表示させるようにしてもよい。
【００４９】
マイクロカプセルの径は、種々のものを採用することが可能であるが、約４０μｍ〜約１００μｍのものを採用すると、十分な解像度と応答性を得ることができる。表示画像の解像度は、主として電極層中の電極の配置に依存するが、マイクロカプセルの径が小さければ分散媒中のマイクロカプセルの移動速度が速くなり、結果として表示の際の応答性に優れるというメリットがある。
【００５０】
以上の例では、モノクロ（白黒）の画像表示の例を説明したが、カラー画像表示の場合には、画素単位に分割されたＲ（赤），Ｇ（緑），Ｂ（青）の色を有するカラーフィルタを画素単位で電界を印加することができる透明電極１側に設けることで、カラー画像表示を実現することができる。
【００５１】
ペーパー状電子ディスプレイは、可撓性を有する材料で作製し、電極等のパターニングも印刷法、蒸着法でプラスチックフィルムに形成することで、実現が可能となる。表示画面サイズも、用途、要望に応じて任意のサイズのものを作成することができる。
【００５２】
マイクロカプセル表示層３においては、マイクロカプセル１１０の位置配置は多少の変動があっても表示に問題は生じない。従って、折り曲げて使用したり、曲面の箇所に取付けて使用することなども可能である。
【００５３】
マイクロカプセル型電気泳動式表示パネルにおいて、各粒子は粘性の高い分散媒に分散されているため、一度電界を印加した後は、電源が切断されても粒子の位置は変化しない。このように、ディスプレイの電源を切っても表示画像が消えない不揮発性（メモリー性）を有するので、初期の表示や書き換え時のみ電界を印加すればよく、通常の表示装置に比べて表示に必要な電力も少なくてすみ、大幅な省電力化が可能である。
【００５４】
更に、表示パネル内においては、マイクロカプセル１１０の位置配置は多少の変動があっても表示に問題は生じない。従って、透明電極層１、電極層２１を含め、ディスプレイ全体を薄く可携性を持たせる材料を用いることで、紙のような柔軟性を持たせることができる。
【産業上の利用可能性】
【００５５】
本発明のマイクロカプセル型電気泳動式表示パネルは、優れた水蒸気遮断性、耐湿性を有しているため、様々な用途における表示パネルとして広範に利用可能である。
【符号の説明】
【００５６】
１・・・透明電極層（ＩＴＯ膜）、２・・・透明樹脂膜、３・・・マイクロカプセル表示層、４・・・第１の接着層、５・・・前面板、６・・・基板、７・・・第２の接着層、８・・・透明樹脂保護膜、９・・・水蒸気遮断性樹脂層、１０・・・ガスバリア層、１１・・・機能層、２１・・・電極層、２１０・・・マイクロカプセル、１１１・・・カプセル殻、１１２・・・分散媒、１１３・・・白の粒子、１１４・・・黒の粒子。
【図１】
2011039530.tif 000003
【図２】
2011039530.tif 000004
【図３】
2011039530.tif 000005
【図４】
2011039530.tif 000006